(57)【要約】  本発明は体に着用して脊椎の正常的な湾曲を回復させることができる脊椎側湾症補助器及びその製作方法に関するもので、本発明の一実施例による脊椎側弯症補助器は、体の腹部部位の一側または一側の肩を囲むように着用される支持部と、前記支持部の一側と他側を連結するように結合され、前記支持部に対して体の腹部部位の一側または他側または体の胸部部位の一側または他側を囲んで圧迫支持する圧迫バンドとを含む。
2019518579.tif 000002
【特許請求の範囲】
【請求項１】
体の腹部部位の一側または一側の肩を囲むように着用される支持部と、
前記支持部の一側と他側を連結するように結合され、前記支持部に対して体の腹部部位の一側または他側、または体の胸部部位の一側または他側を囲んで圧迫支持する弾力性のある素材の圧迫バンドとを含む脊椎側湾症補助器。
【請求項２】
前記圧迫バンドは長さが調節可能であり、前記圧迫バンドの一側に設けられる一対の結合部材を含むことを特徴とする請求項１に記載の脊椎側湾症補助器。
【請求項３】
前記支持部は、体の腹部部位の一側を囲むように支持する第１支持プレートと、前記第１支持プレートの下部に離隔して体の腹部部位の一側や腰部位の一側または骨盤部位の一側を囲むように支持する第２支持プレートとを含むことを特徴とする請求項１に記載の脊椎側湾症補助器。
【請求項４】
前記支持部は、体の一側の肩に掛けられるように延長される第１支持プレートと、前記第１支持プレートの下部に離隔して体の腹部部位の一側や腰部位の一側または骨盤部位の一側を囲むように支持する第２支持プレートとを含むことを特徴とする請求項１に記載の脊椎側湾症補助器。
【請求項５】
前記支持部は、体の一側の肩に掛けられるように延長される第１支持プレートと、前記第１支持プレートの下部に離隔して体の腹部部位の他側や腰部位の他側または骨盤部位の他側を囲むように支持する第２支持プレートとを含むことを特徴とする請求項１に記載の脊椎側湾症補助器。
【請求項６】
前記第２支持プレートは、両端から下向き外側へそれぞれ湾曲するように延長される延長部と、前記延長部の末端に幅が拡張される拡張部とを含むことを特徴とする請求項３〜５の中の何れか一項に記載の脊椎側湾症補助器。
【請求項７】
前記支持部は、前記第１支持プレートの一端に上端が結合され、前記第２支持プレートの一端に下端が結合される連結部材と、前記第１支持プレートの他端に上端が結合され、前記第２支持プレートの他端に下端が結合され、体の脊椎部位を支持する脊椎支持部材とをさらに含むことを特徴とする請求項３〜５の中の何れか一項に記載の脊椎側湾症補助器。
【請求項８】
前記支持部は、前記圧迫バンドの一端を結合するように前記連結部材に形成される第１結合孔と、前記圧迫バンドの他端を結合するように前記脊椎支持部材に形成される第２結合孔とをさらに含むことを特徴とする請求項７に記載の脊椎側湾症補助器。
【請求項９】
前記第２支持プレートの一側に下向きに突出して形成されるリング部材と、前記リング部材を貫通して体の太もも部位を囲む固定バンドとをさらに含むことを特徴とする請求項３〜５の中の何れか一項に記載の脊椎側湾症補助器。
【請求項１０】
前記支持部は、柔軟な材質で、体の表面の屈曲形状と対応する形状を有するベースプレートと、前記ベースプレートの外側に結合される合成樹脂材質の補強プレートとを含むことを特徴とする請求項３〜５の中の何れか一項に記載の脊椎側湾症補助器。
【請求項１１】
前記支持部は、前記ベースプレートの内側に結合される弾性材質の衝撃吸収部材をさらに含むことを特徴とする請求項１０に記載の脊椎側湾症補助器。
【請求項１２】
前記支持部は、前記補強プレートの外側に結合される金属材質のカバープレートをさらに含むことを特徴とする請求項１０に記載の脊椎側湾症補助器。
【請求項１３】
前記ベースプレートは３Ｄプリンティングによって部位別に分割出力される複数のパートを含むことを特徴とする請求項１０に記載の脊椎側湾症補助器。
【請求項１４】
前記補強プレートはレーザーカッティングによって一体に形成されることを特徴とする請求項１３に記載の脊椎側湾症補助器。
【請求項１５】
（ａ）使用者の体のサイズを測定及び入力する段階と、
（ｂ）入力されたサイズ値に基づいて３Ｄモデリング作業を行う段階と、
（ｃ）３Ｄモデリング形状によってベースプレートを３Ｄプリンティングする段階と、
（ｄ）前記ベースプレートの外側面に補強プレートを積層する段階と、
（ｅ）前記ベースプレートの内側面に衝撃吸収部材を重ねて当てる段階とを含む脊椎側湾症補助器の製作方法。
【請求項１６】
（ｆ）前記補強プレートの外側面にカバープレートを結合する段階をさらに含むことを特徴とする請求項１５に記載の脊椎側湾症補助器の製作方法。
【請求項１７】
前記（ｃ）段階は３Ｄプリンティングによって複数のパートを分割出力することを特徴とする請求項１５に記載の脊椎側湾症補助器の製作方法。
【請求項１８】
前記（ｄ）段階は合成樹脂材質の補強プレートを一体にレーザーカッティングすることを特徴とする請求項１７に記載の脊椎側湾症補助器の製作方法。
【発明の詳細な説明】
【技術分野】
【０００１】
本発明は体に着用して脊椎の正常な湾曲を回復させることができる脊椎側湾症補助器及びその製作方法に関する。
【背景技術】
【０００２】
一般に、脊椎側湾症とは、図１に示すように、脊椎が側方に曲がって回転変形が起きた状態をいい、側方に曲がった程度が約２０゜〜４０゜の場合には手術より矢印で示すようにわき腹の部位を圧迫するように着用する補助器を通じた治療が好まれる。
【０００３】
しかしながら、従来の脊椎側湾症補助器（例えば、ミルウォーキータイプ、ボストンタイプ、ｔｉｓｏタイプ）は何れも堅い硬質のプラスチック材質を骨組みとして用いている。
【０００４】
これら補助器は大部分筒状構造に作られて、着用した後使用者が座って底の物を取ることさえ難しいほど硬直されるように胸部全体を囲む。この場合、呼吸することも息苦しくなり、食事の時にはもたれる感じがするなど着用時に抱える諸問題がある。
【０００５】
脊椎補助器の特性から補助器をほとんど２４時間着用してこそ効果があるため、冬にも一日中このような種類の補助器を着ていてあせもが出るなど非常に苦しい。特に青少年たちがこのような補助器を２４時間着用する場合、将来に対する絶望で極甚な鬱病にまで至る虞がある。
【０００６】
このような困難を踏み超えて長時間補助器を着用する場合にも、硬直したプラスチックの力で脊椎の位置を直すことは限界があるしかない。強度の差がなしに脊椎の湾曲部位を押すため、初めは目立つ効果があっても長時間着用時にはただサポーターとしての役割しかできなくなる。
【０００７】
このような明白な短所を補うために案出されたバンド型補助器の場合、弾力的なバンドで脊椎湾曲部位を押し続けるので、従来の補助器より湾曲程度を減らすのに効果がある。しかしながら、肩から太ももまで囲む構造は日常生活に大きな不便をもたらす。例えば、尻に備えられる２つのボタンと、臍と生殖器の間の部分に備えられる２つのボタンで肩から背中を計４回横切るバンドを固定させるようになるが、トイレに行く度にバンドを解いてから再締結する過程を繰り返さなければならないという不便がある。さらに、太ももまでバンドを固定しなければならないため、ズボンはもちろん上着と下衣も全部体に密着する服を着ることができなくなり、歩く時にも不便な感じがある。このように、着用するのにかかるおびただしい時間と努力、そして着用した時の面倒なことから、バンド型補助器の２４時間着用を嫌がっている実情である。
【０００８】
また、従来には個人ごとに湾曲部位の形状に応じて石膏で型を取り、これを利用して湾曲部位と同じ形状のプレートを製作したが、石膏で型を取る作業にたくさんの時間と費用が消耗され、製作者の熟練度によって品質に大きな差があるという問題があった。
【０００９】
また、補助器の破損などによって取り替えが必要な場合、石膏で型を取る作業からし始めなければならないため、使用者が補助器の販売店や製作会社を再訪問しなければならないという不便があり、販売店で石膏型を取った後この石膏を製作会社に運送する過程で石膏の形状の一部が損傷されて結局不良品が製作されるという問題もある。
【発明の概要】
【発明が解決しようとする課題】
【００１０】
本発明は前述した問題点を解決するために案出されたもので、着用と脱衣が簡便な脊椎側湾症補助器及びその製作方法を提供することにその目的がある。
【００１１】
本発明の他の目的は脊椎の湾曲程度や部位によって圧迫程度を調節することができる脊椎側湾症補助器及びその製作方法を提供することにある。
【００１２】
本発明のまた他の目的は消費者の体のサイズを入力して３Ｄプリンティングを通じてベースプレートを製作することにより、製作時間と費用を節減することができ、遠隔製作が可能な脊椎側湾症補助器の製作方法を提供することにある。
【課題を解決するための手段】
【００１３】
前述した本発明の目的は、体の腹部部位の一側を囲むように支持する支持部と、前記支持部の一側と他側を連結するように結合され、体の腹部部位の他側を囲んで圧迫支持する弾力性のある素材の圧迫バンドとを含む脊椎側湾症補助器を提供することによって達成されることができる。
【００１４】
本発明の好ましい特徴によれば、前記圧迫バンドは長さを調節可能であり、前記圧迫バンドの一側に設けられる一対の結合部材を含むことができる。
【００１５】
本発明の他の好ましい特徴によれば、前記支持部は、体の腹部部位の一側を囲むように支持する第１支持プレートと、前記第１支持プレートの下部に離隔して体の腹部部位の一側や腰部位の一側または骨盤部位の一側を囲むように支持する第２支持プレートとを含むことができる。
【００１６】
本発明のまた他の好ましい特徴によれば、前記支持部は、体の一側の肩に掛けられるように延長される第１支持プレートと、前記第１支持プレートの下部に離隔して体の腹部部位の一側や腰部位の一側または骨盤部位の一側を囲むように支持する第２支持プレートとを含むことができる。
【００１７】
本発明のまた他の好ましい特徴によれば、前記支持部は、体の一側の肩に掛けられるように延長される第１支持プレートと、前記第１支持プレートの下部に離隔して体の腹部部位の他側や腰部位の他側または骨盤部位の他側を囲むように支持する第２支持プレートとを含むことができる。
【００１８】
本発明のまた他の好ましい特徴によれば、前記第２支持プレートは、両端で下向き外側へそれぞれ湾曲するように延長される延長部と、前記延長部の末端に幅が拡張される拡張部とを含むことができる。
【００１９】
本発明のまた他の好ましい特徴によれば、前記支持部は、前記第１支持プレートの一端に上端が結合され、前記第２支持プレートの一端に下端が結合される連結部材と、前記第１支持プレートの他端に上端が結合され、前記第２支持プレートの他端に下端が結合されて体の脊椎部位を支持する脊椎支持部材とをさらに含むことができる。
【００２０】
本発明のまた他の好ましい特徴によれば、前記支持部は、前記圧迫バンドの一端を結合するように前記連結部材に形成される第１結合孔と、前記圧迫バンドの他端を結合するように前記脊椎支持部材に形成される第２結合孔とをさらに含むことができる。
【００２１】
本発明のまた他の好ましい特徴によれば、前記第２支持プレートの一側に下向きに突出されるリング部材と、前記リング部材を貫通して体の太もも部位を囲む固定バンドとをさらに含むことができる。
【００２２】
本発明のまた他の好ましい特徴によれば、前記支持部は、柔軟な材質であって体の表面の屈曲形状と対応する形状を有するベースプレートと、前記ベースプレートの外側に結合される合成樹脂材質の補強プレートとを含むことができる。
【００２３】
本発明のまた他の好ましい特徴によれば、前記支持部は、前記ベースプレートの内側に結合される弾性材質の衝撃吸収部材をさらに含むことができる。
【００２４】
本発明のまた他の好ましい特徴によれば、前記支持部は、前記補強プレートの外側に結合される金属材質のカバープレートをさらに含むことができる。
【００２５】
本発明のまた他の好ましい特徴によれば、前記ベースプレートは３Ｄプリンティングによって部位別に分割出力される複数のパートを含むことができる。
【００２６】
本発明のまた他の好ましい特徴によれば、前記補強プレートはレーザーカッティングによって一体に形成されることができる。
【００２７】
一方、前述した本発明の目的は、（ａ）使用者の体のサイズを測定及び入力する段階と、（ｂ）入力されたサイズ値に基づいて３Ｄモデリング作業を行う段階と、（ｃ）３Ｄモデリング形状によってベースプレートを３Ｄプリンティングする段階と、（ｄ）前記ベースプレートの外側面に補強プレートを積層する段階と、（ｅ）前記ベースプレートの内側面に衝撃吸収部材を重ねて当てる段階とを含む脊椎側湾症補助器の製作方法を提供することによっても達成されることができる。
【００２８】
この時、本発明の好ましい特徴によれば、（ｆ）前記補強プレートの外側面にカバープレートを結合する段階をさらに含むことができる。
【００２９】
本発明の他の好ましい特徴によれば、前記（ｃ）段階は３Ｄプリンティングによって複数のパートを分割出力することができる。
【００３０】
本発明のまた他の好ましい特徴によれば、前記（ｄ）段階は合成樹脂材質の補強プレートを一体にレーザーカッティングすることができる。
【発明の効果】
【００３１】
本発明による脊椎側湾症補助器によれば、支持部の一側に結合された弾力性のある圧迫バンドで脊椎の湾曲部位を圧迫することにより脊椎側湾症を改善することができる。
【００３２】
また、本発明による脊椎側湾症補助器によれば、着脱式バンドを用いることにより着用が簡便で活動が自由であり、面倒な感じがない。
【００３３】
また、本発明による脊椎側湾症補助器によれば、特に脊椎側湾症で最も多いＣ字状の脊椎湾曲において顕著な痛症減少及び矯正の効果がある。
【００３４】
また、本発明による脊椎側湾症補助器の製作方法によれば、３Ｄモデリングによる３Ｄプリンティングを通じて製作するので、遠隔製作が可能であり、製作時間が短縮されるという効果を奏する。
【図面の簡単な説明】
【００３５】
【図１】本発明の第１実施例による脊椎側湾症補助器の斜視図である。
【図２】本発明の第１実施例による脊椎側湾症補助器の正面図である。
【図３】本発明の第１実施例による脊椎側湾症補助器の背面図である。
【図４】本発明の第１実施例による脊椎側湾症補助器の側面図である。
【図５】本発明の第１実施例による脊椎側湾症補助器の使用状態図である。
【図６】本発明の第１実施例による脊椎側湾症補助器の使用状態図である。
【図７】本発明の第１実施例による脊椎側湾症補助器の製作方法順序図である。
【図８】本発明の第２実施例による脊椎側湾症補助器の斜視図である。
【図９】本発明の第２実施例による脊椎側湾症補助器の使用状態図である。
【図１０】本発明の第３実施例による脊椎側湾症補助器の斜視図である。
【図１１】本発明の第３実施例による脊椎側湾症補助器の使用状態図である。
【発明を実施するための形態】
【００３６】
以下では本発明の実施例について添付図面を参照して詳細に説明する。ただ、以下で説明する実施例は本発明が属する技術分野において通常の知識を有する者が発明を容易に実施することができるほどに詳細に説明するためのものに過ぎず、それにより本発明の保護範囲が限定されることを意味しない。また、本発明の各種実施例を説明する際に、同じ技術的特徴を有する構成要素に対しては同じ図面符号を用いる。
【実施例】
【００３７】
図１は本発明の第１実施例による脊椎側湾症補助器の斜視図である。そして、図２は本発明の第１実施例による脊椎側湾症補助器の正面図であり、図３は本発明の第１実施例による脊椎側湾症補助器の背面図であり、図４は本発明の第１実施例による脊椎側湾症補助器の側面図である。
【００３８】
図１〜図４に示したように、本発明の第１実施例による脊椎側湾症補助器（以下、「補助器」）１００は、体の腹部部位の一側を囲むように支持する支持部２００と、支持部２００の反対側で体の腹部部位の他側を囲んで圧迫支持する圧迫バンド３００とを含む。この時、圧迫バンド３００は支持部２００と対向して支持部２００の一側と他側を連結するように結合される。
【００３９】
支持部２００は第１支持プレート２１０と、第１支持プレート２１０の下部に離隔する第２支持プレート２２０とを含む。第１支持プレート２１０は所定の幅と長さを有する帯状で、体の腹部部位の一側を囲むように支持する。一例として、補助器１００の着用時に第１支持プレート２１０は腹部部位の中央からわき下または胸下を通って背中部位の中央まで延長されることができ、内側面が体の表面に密着される。
【００４０】
第２支持プレート２２０は第１支持プレート２１０の下部で体の腹部部位の一側や腰部位の一側または骨盤部位の一側を囲むように支持し、例えば補助器１００の着用時に骨盤先方の中央から骨盤裏側の中央まで延長されることができる。
【００４１】
この時、第１支持プレート２１０と同様に、第２支持プレート２２０も内側面が体の表面に密着されることが好ましく、従って体の表面の屈曲形状と対応するように第２支持プレート２２０も屈曲するように形成されることが好ましい。
【００４２】
一例として、第２支持プレート２２０は両端で下向き外側へそれぞれ湾曲するように延長される延長部２２１と、延長部２２１の末端に幅が拡張される拡張部２２２とを含むことができる。拡張部２２２は体の骨盤部位の一側に密着されるもので、下がらないように延長部２２１の末端から中央部に行くほど幅が漸次に広くなるように形成されることが好ましい。
【００４３】
一方、第１プレート２１０及び第２支持プレート２２０は金属または軟質プラスチックなどの合成樹脂材質の単一プレートからなることもでき、好ましくはそれぞれ互いに異なる複数の素材のプレートが上下に積層された形態からなる。
【００４４】
一例として、第１プレート２１０及び第２支持プレート２２０は柔軟な材質で、体の表面の屈曲形状と対応する形状を有するベースプレート２３０と、ベースプレート２３０の外側に結合される合成樹脂材質の補強プレート２４０とをそれぞれ含んでなることができる。
【００４５】
この時、ベースプレート２３０はポリプロピレン、ポリウレタン、テフロン(登録商標)
、ポリエチレンなど曲がりながらも堅固性があり、回復力の強いプラスチック種類の素材を３Ｄプリンティングによって製作することが好ましく、製作工程上の難しさを避ける一方、費用を節減するために、部位別に分けて複数のパートに分割して出力することが好ましい。この場合、補助器１００が着用される体部位のサイズを測定して製作した３Ｄモデルを利用するので、３Ｄプリンティングによって製作されたベースプレート２３０は体の表面の屈曲部に沿って楽に密着される。
【００４６】
補強プレート２４０はベースプレート２３０の一面に結合されて補助器１００の剛性を補強する役割を果たす。補強プレート２４０はポリプロピレン、ＰＶＣなどの軟性プラスチック素材からなることができ、３Ｄモデリングデータを利用して一体にレーザーカッティングされることができる。この時、補強プレート２４０は、ベースプレート２３０に結合される時ベースプレート２３０の屈曲部位によって屈曲されて変形されることを予め勘案した平面形状にカッティングされることが好ましい。
【００４７】
一方、ベースプレート２３０の内側には体部位に直接接触してすべりを防止し、外部からの衝撃を吸収するために、ゴムやシリコーンまたはスポンジなどの弾性材質の衝撃吸収部材２５０が結合されることができる。
【００４８】
また、補強プレート２４０の外側にはアルミニウムなど軽量の金属材質のカバープレート２６０が結合されることができ、このカバープレート２６０は補強プレート２４０とともに補助器１００の剛性を補強する役割とともに、スクラッチなど補強プレート２４０とベースプレート２３０の損傷を防止する役割を果たす。この時、カバープレート２６０は軽量化と剛性を補強するために一部区間に部分的に結合されることが好ましく、必要によって補強プレート２４０の全長にわたって結合されることもできる。
【００４９】
本発明の第１実施例による補助器１００は、第１支持プレート２１０の一端と第２支持プレート２２０の一端を互いに連結するように結合される連結部材４００と、第１支持プレート２１０の他端と第２支持プレート２２０の他端を互いに連結するように結合される脊椎支持部材５００とをさらに含むことができ、この時、連結部材４００と脊椎支持部材５００は金属または合成樹脂材質からなることができる。
【００５０】
ここで、連結部材４００は矩形プレート形状であり、連結部材４００の上端が第１支持プレート２１０の一端に結合され、下端が第２支持プレート２２０の一端に結合される。第１プレート２１０及び第２支持プレート２２０と連結部材４００との結合はリベットやボルトなどの締結具を利用して行われることができ、接着や融着、溶接など他の結合方式を利用することも可能である。補助器１００の着用時に連結部材４００は体の腹部中央部位に位置する。
【００５１】
一方、連結部材４００には幅方向に互いに離隔して長さ方向に長く延長する第１結合孔４１０が貫通して形成されるが、この第１結合孔４１０を通じて後述する圧迫バンド３００の一端が連結部材４００に結合される。
【００５２】
脊椎支持部材５００は全体的に矩形プレート形状であり、体の脊椎部位に楽に支持されることができるように、脊椎支持部材５００の内側に脊椎の屈曲形状と対応する屈曲面が形成されるか、幅方向の両側辺縁に沿って互いに離隔する複数の突出部５１０が外側に突出して形成されることができる。
【００５３】
脊椎支持部材５００には中央に長さ方向に長く第２結合孔５２０が貫通して形成され、この第２結合孔５２０を通じて後述する圧迫バンド３００の他端が脊椎支持部材５００に結合される。
【００５４】
連結部材４００と脊椎支持部材５００はリベットなどの締結具によって支持部２００に結合される。前述したベースプレート２３０と補強プレート２４０、衝撃吸収部材２５０及びカバープレート２６０は順次に積層されて接着剤やリベットなどの締結具によって相互接合されることができ、この時、リベットなどの締結具によって連結部材４００と脊椎支持部材５００が支持部２００と一体に結合されることも可能である。同時に、連結部材４００と脊椎支持部材５００も体の表面に密着されるので、その内側に前述した衝撃吸収部材２５０が重ねて当てられることが好ましい。
【００５５】
圧迫バンド３００はゴムや合成纎維など弾力性のある素材からなることができ、支持部２００と対向するように連結部材４００と脊椎支持部材５００との間に連結される。従って、使用者が補助器１００を着用すれば支持部２００が体の腹部部位の一側に密着され、圧迫バンド３００は体の腹部部位の他側に密着される。
【００５６】
この時、連結部材４００は体の前方の腹部中央部位に位置するようになり、脊椎支持部材５００は体の裏側の脊椎部位を支持するようになるが、連結部材４００からわき腹を経て脊椎支持部材５００に結合される圧迫バンド３００がわき腹部位を脊椎方向に加圧することにより、膨らむように湾曲された脊椎部位を正常な形態に加圧するようになる。
【００５７】
圧迫バンド３００は連結部材４００及び脊椎支持部材５００の長さ方向に沿って互いに離隔して複数が連結されることも可能であり、圧迫バンド３００の個数と幅と長さなどの規格は必要によって適切に選択されることができる。
【００５８】
使用者は体のサイズ及び脊椎の湾曲程度に応じて圧迫バンド３００の長さを調節することにより脊椎の湾曲部位に加えられる圧迫強度を調節することができる。
【００５９】
一例として、圧迫バンド３００の一端が連結部材４００（または脊椎支持部材５００に結合され、他端が脊椎支持部材５００（または連結部材４００））を貫通して、圧迫バンド３００の端部に設けられた第１結合部材３１０が圧迫バンド３００の一側に設けられた第２結合部材３２０と対応して結合されることができる。この時、第１結合部材３１０及び第２結合部材３２０はベルクロ(登録商標)テープやスナップボタンなどの着脱可能な締結具で締結されることができ、使用者は圧迫バンド３００を引っ張って適当な長さに調節した後、第１結合部材３１０及び第２結合部材３２０を互いに結合することにより、体のわき腹部位が圧迫バンド３００によって持続的に圧迫を受けるように固定することができる。
【００６０】
他の例として、圧迫バンド３００は連結部材４００に一端が結合され、他端部に第１結合部材３１０が設けられる第１バンド（図示しない）と、第１結合部材３１０と対応して結合する第２結合部材３２０が一端に設けられ、脊椎支持部材５００に他端が結合される第２バンド（図示しない）とを含んでなることができる。また、図示しなかったが、かばんの紐やリックサックの紐の長さを調節するために通常用いられる長さ調節具（図示しない）が圧迫バンド３００の一側に備えられてもよい。
【００６１】
本発明の第１実施例による補助器１００は、支持部２００の第２支持プレート２２０に支持されて体の太もも部位を囲む固定バンド６００をさらに含むことができる。ここで、固定バンド６００は活動時に支持部２００が上方へ押し寄せられるなどの支持部２００の遊動を防止する役割を果たす。
【００６２】
このために、第２支持プレート２２０の一側にリング部材２７０が下向きに突出して形成され、このリング部材２７０を貫通する固定バンド６００が体の太もも部位を囲んで固定される。リング部材２７０は上端部が第２支持プレート２２０の一側に接着や融着、または縫製などの方式で結合されることができ、リベットなどの締結具によって結合されることが好ましい。
【００６３】
固定バンド６００は布や皮革、合成樹脂またはゴムや合成纎維などの弾性材質の素材からなることができ、弾性を有するリング状に形成されることができる。また、長さ調節が可能な紐形態に形成されることもできるが、この場合、紐の一側と他側には前述した第１結合部材３１０及び第２結合部材３２０と同じ結合部材が設けられることができる。
【００６４】
図５及び図６は本発明の第１実施例による脊椎側湾症補助器の使用状態図である。
【００６５】
本発明の第１実施例による補助器１００の着用時には、支持部２００を体の腹部部位の一側に配置し、体の腹部部位の他側を加圧するように圧迫バンド３００を締めて固定させた後、固定バンド６００を太もも部位に着用する。ただ、このような着用方法は本発明の第１実施例に過ぎず、必要によって着用順を異なるようにすることもできることは勿論である。
【００６６】
図７は本発明の第１実施例による脊椎側湾症補助器の製作方法順序図である。
【００６７】
以下、図７を参照して本発明の第１実施例による補助器の製作方法を段階別に説明する。
【００６８】
体のサイズ測定及び入力段階（Ｓ１０）：
【００６９】
補助器１００を着用しようとする使用者の体部位（バスト、ウェスト、骨盤まわりなど）のサイズを測定して入力する。ただ、その以前に入力された値があり、その間体部位のサイズ変化がない場合には、以前の値をそのまま用いることもできる。
【００７０】
３Ｄモデリング作業段階（Ｓ２０）：
【００７１】
入力されたサイズ値に基づいて、コンピューターを利用して体部位の３Ｄモデリング作業を行う。この時、必要に応じて具現された３Ｄモデルに補助器１００を着用させた仮想の着用データを使用者に送って確認を受ける段階をさらに経ることができる。
【００７２】
ベースプレート３Ｄプリンティング段階（Ｓ３０）：
【００７３】
３Ｄモデリング形状によってベースプレート２３０を出力する３Ｄプリンティング作業を行う。３Ｄプリンティングのための積層素材としては堅いプラスチック（ＡＢＳ、ＰＬＡなど）とポリプロピレン、ポリウレタン、テフロン（登録商標）、ポリエチレンなどの柔軟（ｆｌｅｘｉｂｌｅ）な合成樹脂、そして堅いプラスチックと柔軟なプラスチック素材の合成素材が適用されることができる。
【００７４】
この時、ベースプレート２３０全体を一度に出力することも可能であるが、ベースプレート２３０が屈曲された３次元形状をなすことによって、平面形状を一層ずつ積層して３次元形状に出力する過程で形状が崩れないように複数のサポート（図示しない）を別途に製作しなければならなく、ベースプレート２３０の製作完了後には３次元形状に一体に形成されたサポートをきれいに除去しなければならない作業が後続する。
【００７５】
従って、本発明の第１実施例による補助器１００の製作方法によれば、ベースプレート２３０を別途のサポートなしに形成することができる複数の部位に分け、部位別にそれぞれのパートを分割して出力する。
【００７６】
分割して出力された複数のパートはその端部が互いに接着または融着されて元々のベースプレート２３０形状を形成することができ、リベットなどの締結具によって補強プレート２４０の一面に元々の形状に結合されることもできる。
【００７７】
補強プレートレーザーカッティング段階（Ｓ３０’）：
【００７８】
３Ｄモデリングデータに基づいて補強プレート２４０を一体にレーザーカッティングする。この時、補強プレート２４０はポリプロピレン、ＰＶＣなど柔軟性合成樹脂材質の平面プレートからカッティングされ、それにより、両面が平面に形成される。
【００７９】
このように製作された補強プレート２４０はその後ベースプレート２３０の屈曲面に沿って密着され、この時、ベースプレート２３０の領域を逸脱しないで皺が折られたり重ならないように、レーザーカッティング時にベースプレート２３０の３次元形状を勘案した平面形状にカッティングされることが好ましい。即ち、３Ｄモデリングデータから必要な平面形状を導出した後、その形状に合わせて補強プレート２４０がレーザーカッティングされる。
【００８０】
補強プレート積層段階（Ｓ４０）：
【００８１】
３次元形状に屈曲されたベースプレート２３０の外側面に前述した補強プレート形成段階（Ｓ３０’）で平面形状にレーザーカッティングされた補強プレート２４０を積層する。この時、接着剤を利用して付着することも可能である。
【００８２】
衝撃吸収部材積層段階（Ｓ５０）：
【００８３】
ベースプレート２３０の内側面にゴムやシリコーン、スポンジなどの弾性素材からなる衝撃吸収部材２５０を積層する。この時、衝撃吸収部材２５０は前述した補強プレート形成段階（Ｓ３０’）のように、ベースプレート２３０の３次元形状を勘案した平面形状にレーザーカッティングされることができ、接着剤を利用して付着されることができる。また、補強プレート積層段階（Ｓ４０）と衝撃吸収部材積層段階（Ｓ５０）は互いに順序を変えて行うこともできる。
【００８４】
カバープレート結合段階（Ｓ６０）：
【００８５】
補強プレート２４０の外側面にアルミニウムなど軽量の金属材質からなるカバープレート２６０を積層する。この時、カバープレート２６０は前述した補強プレート形成段階（Ｓ３０’）のように、ベースプレート２３０の３次元形状を勘案した平面形状に切断したりレーザーカッティングされることができる。また、カバープレート２６０は補強プレート２４０の全体形状と対応する形状に形成されることもでき、補強プレート２４０の一部区間と対応する形状に形成されることも可能である。
【００８６】
カバープレート２６０は補強プレート２４０の外側面に接着剤を利用して付着されることもでき、リベットなどの締結具によってベースプレート２３０と補強プレート２４０、衝撃吸収部材２５０及びカバープレート２６０が一体に結合されることが好ましい。この時、カバープレート２６０は補強プレート２４０の一部区間に結合されることが好ましく、必要によって補強プレート２４０の全長にわたってカバープレート２６０が結合されることもできる。
【００８７】
カバープレート結合段階（Ｓ６０）を経ると、第１プレート２１０及び第２支持プレート２２０が用意され、この時、第２支持プレート２２０の一側には布や皮革、または合成樹脂や合成纎維材質のリング部材２７０をリベットなどの締結具で結合する。ただ、リング部材２７０の結合は後述する連結部材及び脊椎支持部材の結合段階（Ｓ７０）以後に行うことも可能である。
【００８８】
連結部材及び脊椎支持部材結合段階（Ｓ７０）：
【００８９】
前述したカバープレート結合段階（Ｓ６０）を経て製作された第１プレート２１０及び第２支持プレート２２０の両端に別途に製作された連結部材４００と脊椎支持部材５００をリベットなどの締結具でそれぞれ結合する。
【００９０】
一方、本段階は前述した衝撃吸収部材積層段階（Ｓ５０）の順序を変えて行うこともできる。即ち、連結部材４００と脊椎支持部材５００を支持部２００に結合する連結部材及び脊椎支持部材結合段階（Ｓ７０）を先に行った後、連結部材４００と脊椎支持部材５００の内側に衝撃吸収部材２５０が付着されるように、衝撃吸収部材積層段階（Ｓ５０）を連結部材及び脊椎支持部材結合段階（Ｓ７０）以後に行うこともできる。
【００９１】
圧迫バンド及び固定バンド結合段階（Ｓ８０）：
【００９２】
支持部２００の一側に圧迫バンド３００を結合する。一例として、圧迫バンド３００の一端を脊椎支持部材５００の第２結合孔５２０を通過させて裁縫して固定することができる。この場合、使用時には圧迫バンド３００の他端を連結部材４００の第１結合孔４１０に通過させた後締めて長さを調節し、第１結合部材３１０及び第２結合部材３２０を相互結合させて固定する。
【００９３】
他の例として、一対の圧迫バンドを用意し、その中の何れか一つの端部を連結部材４００の第１結合孔４１０に通過させた後裁縫して固定することができる。この時、残り一つは端部を脊椎支持部材５００の第２結合孔５２０に通過させた後裁縫して固定することができる。
【００９４】
固定バンド６００はリング部材２７０を貫通するように挿入され、必要によっては固定バンド６００の一側がリング部材２７０の一側に裁縫、接着、または融着やリベットなどの締結具によって結合されることができる。
【００９５】
前述したような補助器の製作方法によれば、従来のように石膏型を取る必要がないので、製作が容易で、製作時間が短縮されるという効果を奏する。
【００９６】
また、ベースプレート２３０が体のサイズによる３Ｄモデリングに基づいて製作されるので、体部位の屈曲面に補助器１００の支持部２００が密着されて活動に不便がなく、着心地が良い。
【００９７】
また、補助器１００の損傷などによって再製作が必要な場合、体のサイズ入力値や３Ｄモデリングデータが残っていれば、再訪問して体のサイズを測定する過程を経る必要がない。
【００９８】
同時に、従来のように石膏型を補助器１００の製作会社に伝達するか、補助器１００の製作会社に直接訪問して石膏型を取る必要がなく、体のサイズを測定してその測定値や３Ｄモデリングデータを製作会社に伝達すれば済むので、遠隔でオーダーメード型補助器の製作が可能になるという効果を奏する。
【００９９】
図８は本発明の第２実施例による脊椎側湾症補助器の斜視図であり、図９は本発明の第２実施例による脊椎側湾症補助器の使用状態図である。
【０１００】
本発明の第２実施例による脊椎側湾症補助器１００’は前述した第１実施例の補助器１００と全体的にその構成及び製作方法が類似する。ただ、支持部２００’を構成する第１支持プレート２１０’が体の一側の肩に掛けられるように形成されるという点で差がある。従って、前述した第１実施例と同じ機能を果たす同一構成に対しては同じ図面符号を付与し、重複説明は省略する。
【０１０１】
図９は本発明の第２実施例による補助器１００’を着用した体の後姿を示したもので、第１支持プレート２１０’は中間部が右側肩にかけられ、両端部が胸と背中部位の中央にそれぞれ密着されるように屈曲して延長される。この時、第２支持プレート２２０は体の右側腰部位や腹部部位または骨盤部位に密着され、圧迫バンド３００は連結部材４００と脊椎支持部材５００との間に連結されて体の左側胸部部位または腹部部位を圧迫する。
【０１０２】
ここで、必要によって第２支持プレート２２０の一側に前述した第１実施例のリング部材２７０及び固定バンド６００が形成されることができることは勿論であり、支持部２００’と圧迫バンド３００を前述したのと反対側に着用することも可能である。例えば、支持部２００’を体の左側に、そして圧迫バンド３００を体の右側に着用することができる。
【０１０３】
図１０は本発明の第３実施例による脊椎側湾症補助器の斜視図であり、図１１は本発明の第３実施例による脊椎側湾症補助器の使用状態図である。
【０１０４】
本発明の第３実施例による脊椎側湾症補助器１００’’は前述した第１実施例の補助器１００と全体的にその構成及び製作方法が類似する。ただ、支持部２００’’を構成する第１支持プレート２１０’’が体の一側の肩に掛けられるように形成されるという点、そして互いに反対方向に延長される一対の圧迫バンド３００が上下に離隔して設けられるという点で差がある。従って、前述した第１実施例と同じ機能をする同一構成については同じ図面符号を付与し、重複説明は省略する。
【０１０５】
図１１は本発明の第３実施例による補助器１００’’を着用した体の後姿を示したもので、第１支持プレート２１０’’は中間部が右側肩にかけられ、両端部が胸と背中部位の中央にそれぞれ密着されるように屈曲して延長される。この時、第２支持プレート２２０は体の左側腰部位や腹部部位または骨盤部位に密着される。
【０１０６】
連結部材４００’と脊椎支持部材５００’との間には上下一対の圧迫バンド３００が連結されるが、上部の圧迫バンド３００は体の左側胸部部位または腹部部位を圧迫するように連結され、下部の圧迫バンド３００は体の右側腹部部位または腰部位を圧迫するように連結される。
【０１０７】
ここで、必要によって第２支持プレート２２０の一側に前述した第１実施例のリング部材２７０及び固定バンド６００が形成されることができることは勿論であり、支持部２００’’と圧迫バンド３００を前述したのと反対側に着用することも可能である。例えば、第１支持プレート２１０’’が左側肩に掛けられるように支持部２００’’を着用することができる。この時、上部の圧迫バンド３００は体の右側胸部部位または腹部部位を圧迫するようになり、下部の圧迫バンド３００は体の左側腹部部位または腰部位を圧迫するようになる。
【０１０８】
一方、連結部材４００'と脊椎支持部材５００'との間に上下に互いに離隔して一対の圧迫バンド３００が連結されるように、連結部材４００'と脊椎支持部材５００’には一対の第１結合孔４１０と一対の第２結合孔５２０がそれぞれ上下に離隔して貫通して形成されることが好ましい。
【０１０９】
以上で本発明の実施例について説明したが、本発明が属する技術分野において通常の知識を有する者であれば本発明の特許請求範囲を逸脱することがなく多様に変形して実施することができることが理解し得る。
【図１】
2019518579.tif 000003
【図２】
2019518579.tif 000004
【図３】
2019518579.tif 000005
【図４】
2019518579.tif 000006
【図５】
2019518579.tif 000007
【図６】
2019518579.tif 000008
【図７】
2019518579.tif 000009
【図８】
2019518579.tif 000010
【図９】
2019518579.tif 000011
【図１０】
2019518579.tif 000012
【図１１】
2019518579.tif 000013
【国際調査報告】
2019518579.tif 000014
2019518579.tif 000015
2019518579.tif 000016
2019518579.tif 000017